(57)【要約】【課題】使用者に不快感を与えない床置型サーキュレータ制御方法を提供する。【解決手段】上向きに送風するファン２１と、室内温度を検出する温度検出器２２と、前記ファンの運転状態、室内温度を含む運転情報を送受信する通信部２３と、これらを制御する制御部２４とでなり床に設置される床置型サーキュレータを同一室内に複数配置し、室内温度を均一に保つように室内の空気を効率良く攪拌する床置型サーキュレータの制御方法であって、前記床置型サーキュレータの特定の一台が一定時間間隔で、運転状態を切り換えるように制御すると共に、他の床置型サーキュレータが前記特定の床置型サーキュレータから受信した運転情報に同期して運転するように制御するので、室内空気が揺動して波ができ、全体を同じ強さで同じ方向に送風させるより、冷風感を与えずに室内の空気を効果的に攪拌して上下の温度を均一にすることができる。【選択図】　図４
2004020072.tif 000002
【特許請求の範囲】
【請求項１】
上向きに送風するファンと、室内温度を検出する温度検出器と、前記ファンの運転状態、室内温度を含む運転情報を送受信する通信部と、これらを制御する制御部とでなり床に設置される床置型サーキュレータを同一室内に複数配置し、室内温度を均一に保つように室内の空気を効率良く攪拌する床置型サーキュレータの制御方法であって、
前記床置型サーキュレータの特定の一台が一定時間間隔で、運転状態を切り換えるように制御すると共に、他の床置型サーキュレータが前記特定の床置型サーキュレータから受信した運転情報に連動して運転するように制御してなることを特徴とする床置型サーキュレータの制御方法。
【請求項２】
前記特定の床置型サーキュレータの運転状態を風速とし、前記制御部が一定時間間隔で、風速を強から弱、弱から強に切り換えるように制御してなることを特徴とする請求項１記載の床置型サーキュレータの制御方法。
【請求項３】
前記特定の床置型サーキュレータの運転状態を風向とし、前記制御部が一定時間間隔で、前記ファンの首振方向を上方の前から後に切り換えて首振制御してなることを特徴とする請求項１記載の床置型サーキュレータの制御方法。
【請求項４】
前記制御部が、前記特定の床置型サーキュレータから受信した運転情報と同じ運転状態に制御してなることを特徴とする請求項１記載の床置型サーキュレータの制御方法。
【請求項５】
前記制御部が、前記特定の床置型サーキュレータから受信した運転情報と反対の運転状態に制御してなることを特徴とする請求項１記載の床置型サーキュレータの制御方法。
【請求項６】
前記同一室内の天井付近に、室内温度を検出する温度検出器と、同温度検出器の検出する室内温度と設定温度との温度差に基づいて運転と停止を制御される圧縮機と、前記室内温度、設定温度、運転状態を含む運転情報をやり取りする通信部とを備える空気調和機の室内機を配設し、同空気調和機の運転状態に連動して前記特定の床置型サーキュレータが運転されてなることを特徴とする請求項１記載の床置型サーキュレータの制御方法。
【発明の詳細な説明】
【０００１】
【発明の属する技術分野】
本発明は、互いに連動し合うことができると共に、天井付近に設置される暖房装置（空気調和機）の運転と連動することのできる床置型サーキュレータの制御方法に関する。
【０００２】
【従来の技術】
従来のサーキュレータは、これに備えるファンを回転して、天井付近に停滞する暖かい空気と床面付近の冷たい空気を攪拌して室内温度を均一にするために使用されるが、室内温度を均一にするため風速を上げ、使用者に直接風が当たると不快感を与えることがある。
また、通常の空気調和機は、室内温度が設定温度に達すると、空気調和機の圧縮機と室内ファンを止めて暖房運転を停止し、室内温度が設定温度以下になると、暖房運転を再開するように制御される。
しかし、一般に、空気調和機は天井又は天井付近に設置されるため、暖房運転が停止されると、室内の上部に暖かい空気が滞留し、室内下部の温度が設定温度以下になっても暖房運転が再開されないという問題がある。
そこで、従来は室内温度が設定温度に達すると、圧縮機は停止するが室内ファンは停止せず、冷風感を与えないために低速回転での微風運転を行ない、室内空気をある程度循環して室内上下部の温度ムラを解消しようとしていた。
しかし、比較的大きな部屋を暖房する場合、室内ファンの微風運転では室内上下部の温度ムラを解消できず、暖房再開が遅れて使用者に冷風感による不快感を与えてしまうという問題がある。
【０００３】
【発明が解決しようとする課題】
本発明は以上述べた問題点を解決し、比較的大きな部屋を暖房する場合において、床置型サーキュレータを複数設置して室内上下部の温度ムラを解消しても、使用者に不快感を与えることのない床置型サーキュレータ制御方法を提供することを目的としている。
【０００４】
【課題を解決するための手段】
本発明は上述の課題を解決するため、上向きに送風するファンと、室内温度を検出する温度検出器と、前記ファンの運転状態、室内温度を含む運転情報を送受信する通信部と、これらを制御する制御部とでなり床に設置される床置型サーキュレータを同一室内に複数配置し、室内温度を均一に保つように室内の空気を効率良く攪拌する床置型サーキュレータの制御方法であって、
前記床置型サーキュレータの特定の一台が一定時間間隔で、運転状態を切り換えるように制御すると共に、他の床置型サーキュレータが前記特定の床置型サーキュレータから受信した運転情報に連動して運転するように制御してなる床置型サーキュレータの制御方法としている。
【０００５】
前記特定の床置型サーキュレータの運転状態を風速とし、前記制御部が一定時間間隔で、風速を強から弱、弱から強に切り換えるように制御してなる床置型サーキュレータの制御方法としている。
【０００６】
前記特定の床置型サーキュレータの運転状態を風向とし、前記制御部が一定時間間隔で、前記ファンの首振方向を上方の前から後に切り換えて首振制御してなる床置型サーキュレータの制御方法としている。
【０００７】
前記制御部が、前記特定の床置型サーキュレータから受信した運転情報と同じ運転状態に制御してなる床置型サーキュレータの制御方法としている。
【０００８】
前記制御部が、前記特定の床置型サーキュレータから受信した運転情報と反対の運転状態に制御してなる床置型サーキュレータの制御方法としている。
【０００９】
前記同一室内の天井付近に、室内温度を検出する温度検出器と、同温度検出器の検出する室内温度と設定温度との温度差に基づいて運転と停止を制御される圧縮機と、前記室内温度、設定温度、運転状態を含む運転情報をやり取りする通信部とを備える空気調和機の室内機を配設し、同空気調和機の運転状態に連動して前記特定の床置型サーキュレータが運転されてなる床置型サーキュレータの制御方法としている。
【００１０】
【発明の実施の形態】
以下、図面に基づいて本発明による床置型サーキュレータの制御方法を詳細に説明する。
図１及び図２は本発明による床置型サーキュレータの制御方法の一実施例を説明するための室内配置図、図３は空気調和機の概略ブロック図、図４は本発明による床置型サーキュレータの概略ブロック図である。
図１に示す実施例の場合は、天井又は天井付近に分離型の空気調和機１０（ａ，ｂ）が１台又は複数台配置され、床面４隅に前記空気調和機１により制御される床置型サーキュレータ２０（ａ，ｂ，ｃ，ｄ）が配置されている。
また、図２に示す実施例の場合は、天井吊下型または天井埋込型の空気調和機１０が室内中央に１台（複数台でも可）設置され、床面４辺に前記空気調和機１０により制御され、風向を１から２または２から１に変更できる床置型サーキュレータ２０が配置されている。
前記空気調和機１０はいずれも図３に示すように、室外機１１と室内機１２とで構成され、室外機１１には冷媒を圧縮して循環する圧縮機１３とこれを制御する室外制御部１４を備え、室内機には室内に調和空気を送風する室内ファン１５と、天井付近の室内温度Ｔａ１を検出する温度検出器１６と、前記床置型サーキュレータ２０に圧縮機１３及び室内ファン１５を運転して暖房する暖房運転の開始／圧縮機１３及び室内ファン１５を停止するサーモオフ状態、設定温度Ｔｓ、温度検出器１６の検出した天井付近の室内温度Ｔａ１を含む自機運転情報を通知する通信部１７とこれらと室外機を制御する室内制御部１８とを備えている。
また、前記床置型サーキュレータ２０は図４に示すように、室内の下部の空気を上方に循環するファン２１と、床面付近の室内温度Ｔａ２を検出する温度検出器２２と、前記空気調和機１０からの前記運転情報を受信すると共に、他の床置型サーキュレータ２０とファン２１の回転数、首振り方向、温度検出器２２の検出した床面付近の室内温度Ｔａ２を含む運転情報を交換する通信部２３と、前記床面付近の室内温度Ｔａ２、前記空気調和機１０からの運転情報、他の床置型サーキュレータ２０からの運転情報から前記ファン２１や通信部２３を制御する制御部２４とを備えている。
この床置型サーキュレータ２０の運転モードは空気調和機１０の運転に連動して運転させるか、又は床置型サーキュレータ２０同士のみで運転させるかを図示しない操作ボタンで選択可能となっている。
また、前記床置型サーキュレータ２０は図１に示すように、その風向を上方に向けるか、図２に示すように、その風向を上方に向けると共に、略９０度の角度で円弧を描くように風向を変更するように首を振ることができるようになっている。
【００１１】
図５及び図６は本発明の床置型サーキュレータの制御方法の一実施例を説明するためのフローチャートで、図５は空気調和機の運転、図６は床置型サーキュレータの運転を示している。
本実施例の場合、空気調和機１０と複数の床置型サーキュレータ２０が連動して運転すると共に、複数の床置型サーキュレータ２０が互いに連動して運転する場合について記載している。
図５に示すように、空気調和機１０の暖房運転が開始されると、設定温度Ｔｓにて暖房運転が開始され、現在検出した天井付近の室内温度が室内温度Ｔａ１である旨の自機の運転情報を床置型サーキュレータ２０に対して一定時間間隔で送信し（ｓｔ１）、
温度検出器１６の検出する天井付近の室内温度Ｔａ１が設定温度Ｔｓにまで上昇するのを待つ（ｓｔ２）。
ｓｔ２で天井付近の室内温度Ｔａ１が設定温度Ｔｓになると、その時の運転情報を送信し（ＳＴ３）、前記全ての床置型サーキュレータ２０の温度検出器２２の検出する床面付近の室内温度Ｔａ２が設定温度Ｔｓになるのを待つ（ＳＴ４）。
ＳＴ４で全ての床置型サーキュレータ２０の温度検出器２２の検出する床面付近の室内温度Ｔａ２が設定温度Ｔｓになると、圧縮機１３及び室内ファン１５を停止してサーモオフ状態とし（ｓｔ５）、床置型サーキュレータ２０に対して暖房運転が停止されたことを通知し（ｓｔ６）、天井付近の室内温度Ｔａ１が設定温度Ｔｓ以下になるのを待つ（ｓｔ７）。
ｓｔ７で室内温度Ｔａが設定温度Ｔｓ以下になると暖房運転を再開する。
本実施例においては、ＳＴ４で床面付近の室内温度Ｔａ２が設定温度Ｔｓになるのを待つようにしたが、ＳＴ２の後、ＳＴ５に進むようにしてもよい。
【００１２】
一方、床置型サーキュレータ２０は、図６に示すように、まず、空気調和機との連動運転モードかチェックし（ＳＴ１１）、空気調和機との連動運転モードで無ければ後で説明する通常のサーキュレータ運転を開始する（ＳＴ２３）が、連動運転モードであれば空気調和機１０からの運転情報を受信して、暖房運転か確認する（ＳＴ１２）。
ＳＴ１２で暖房運転が確認されると空気調和機１０の温度検出器１６の検出する天井付近の室内温度Ｔａ１が設定温度Ｔｓに達したか確認する（ＳＴ１３）。
ＳＴ１３で、天井付近の室内温度Ｔａ１が設定温度Ｔｓに達しない場合はファンを回転せず（ＳＴ２２）、ＳＴ１２に戻るが、天井付近の室内温度Ｔａ１が設定温度Ｔｓに達するとファン２１を（Ｔａ１−Ｔａ２）に反比例した低速回転数で運転することにより、空気調和機１０からの暖かい空気を不快感を与えないように効果的に攪拌する暖房補助運転を行い（ＳＴ１４）、前記全ての床置型サーキュレータ２０の温度検出器２２の検出する床面付近の室内温度Ｔａ２が設定温度Ｔｓになるのを待つ（ＳＴ１５）。
ＳＴ１５で床面付近の室内温度Ｔａ２が設定温度Ｔｓになると、その旨を空気調和機１０に通知し（ＳＴ１６）、空気調和機１０がサーモオフ状態になるのを待つ（ＳＴ１７）。
ＳＴ１７で空気調和機１０のサーモオフ状態を確認すると、後で説明する通常のサーキュレータ運転を開始し（ＳＴ１８）、暖房運転の再開を待つ（ＳＴ１９）。
ＳＴ１９で、暖房運転の再開が無ければ天井付近の室内温度Ｔａ１が設定温度以下になっていないか確認し（ＳＴ２０）、
ＳＴ２０で天井付近の室内温度Ｔａ１が設定温度以下になっていれば暖房運転が停止されたか確認し（ＳＴ２１）、
ＳＴ２１で暖房運転が停止が確認されるとファン２１の運転を停止する。
ＳＴ２０で天井付近の室内温度Ｔａ１が設定温度以下でない場合、及びＳＴ２１で暖房運転が停止が確認されない場合は通常のサーキュレータ運転を続行する。
【００１３】
以下に、前記通常のサーキュレータ運転を説明する。
通常のサーキュレータ運転の一実施例は、図１に示す複数の床置型サーキュレータ２０を互いに運転情報を交換することにより連動させて行う。
図１及び図７に示すように、床置型サーキュレータ２０の（ａ）を基準とし、他の床置型サーキュレータ２０（ｂ，ｃ，ｄ）は床置型サーキュレータ２０（ａ）から受信した運転情報からその風速が強であるか弱であるかを判断し、自機の風速を決定するようにしている。
例えば、図７−ａに示すように、床置型サーキュレータ２０の（ａ）と（ｃ）が強なら（ｂ）と（ｄ）を弱、（ａ）と（ｃ）が弱なら（ｂ）と（ｄ）を強となるように、または、図７−ｂに示すように、床置型サーキュレータ２０の（ａ）と（ｂ）が強なら（ｃ）と（ｄ）を弱、（ａ）と（ｂ）が弱なら（ｃ）と（ｄ）を強となるように、一定時間間隔で強弱運転を切り替えるようにする。
これにより、室内空気に波ができ、全体を同じ強さで送風させるより、冷風感を与えず、効果的に室内の空気を攪拌して上下の温度を均一にすることができる。
【００１４】
また、通常のサーキュレータ運転の他の実施例は、図２に示す複数の床置型サーキュレータ２０を互いに運転情報を交換することにより連動させて行う。
図２及び図８に示すように、床置型サーキュレータ２０の（ａ）を基準とし、他の床置型サーキュレータ２０（ｂ，ｃ，ｄ）は床置型サーキュレータ２０（ａ）から受信した運転情報からその風向が１であるか２であるかを判断し、自機の風向を決定するようにしている。
例えば、図８−ａに示すように、床置型サーキュレータ２０の（ａ），（ｂ），（ｃ），（ｄ）全てを１→２→１のように同じ方向に連動して首を振らせるか、または、床置型サーキュレータ２０の（ａ）を１→２→１のように首を振るなら、これに連動して（ｃ）も１→２→１のように同じ方向に首を振り、（ｂ）と（ｄ）は２→１→２のように逆の方向に首を振らせ、風同士がぶつかるようにする。
これにより、室内空気に大きな波が生じ、全体を同じ方向に通風するより、不快感を与えず、より効果的に室内の空気を攪拌して上下の温度を均一にすることができる。
【００１５】
以上は空気調和機１０と複数の床置型サーキュレータ２０が連動して運転すると共に、複数の床置型サーキュレータ２０が互いに連動して運転する場合について記載したが、空気調和機１０に連動せず複数の床置型サーキュレータ２０のみが連動して運転するようにしてもよい。
この場合は、図６のｓｔ１８の通常のサーキュレータ運転を連続運転するか、または、床面付近の室内温度Ｔａ２を設定温度Ｔｓ２（サーキュレータ側にも温度設定機能を設ける）と比較してその温度差に基づいて、例えば、図７−（ａ）と図７−（ｂ）または、図８−（ａ）と図８−（ｂ）を切り替えるように、運転モードを切り替えるようにしてもよい。
【００１６】
【発明の効果】
以上説明したように、本発明による床置型サーキュレータの制御方法によれば、上向きに送風するファンと、室内温度を検出する温度検出器と、前記ファンの運転状態、室内温度を含む運転情報を送受信する通信部と、これらを制御する制御部とでなり床に設置される床置型サーキュレータを同一室内に複数配置し、室内温度を均一に保つように室内の空気を効率良く攪拌する床置型サーキュレータの制御方法であって、前記床置型サーキュレータの特定の一台が一定時間間隔で、運転状態を切り換えるように制御すると共に、他の床置型サーキュレータが前記特定の床置型サーキュレータから受信した運転情報に連動して運転するように制御するので、室内空気が揺動して波ができ、全体を同じ強さで同じ方向に送風させるより、冷風感を与えることがなく、室内の空気を効果的に攪拌して上下の温度を均一にすることができる。
【図面の簡単な説明】
【図１】本発明による床置型サーキュレータの室内配置の一実施例を示す配置図である。
【図２】本発明による床置型サーキュレータの室内配置の他の実施例を示す配置図である。
【図３】空気調和機の概略ブロック図である。
【図４】本発明による床置型サーキュレータの概略ブロック図である。
【図５】本発明による床置型サーキュレータの制御方法を説明するための空気調和機側の運転を示すフローチャートである。
【図６】本発明による床置型サーキュレータの制御方法を説明するための床置型サーキュレータ側の運転を示すフローチャートである。
【図７】本発明による床置型サーキュレータの制御方法を説明するための運転表である。
【図８】本発明による床置型サーキュレータの制御方法を説明するための運転表である。
【符号の説明】
１０、１０（ａ，ｂ）　空気調和機
１１　室外機
１２　室内機
１３　圧縮機
１４　室外制御部
１５　室内ファン
１６　温度検出器
１７　通信部
１８　室内制御部
２０　床置型サーキュレータ
２１　ファン
２２　温度検出器
２３　通信部
２４　制御部
【図１】
2004020072.tif 000003
【図２】
2004020072.tif 000004
【図３】
2004020072.tif 000005
【図４】
2004020072.tif 000006
【図５】
2004020072.tif 000007
【図６】
2004020072.tif 000008
【図７】
2004020072.tif 000009
【図８】
2004020072.tif 000010